(57)【要約】【課題】良好な意匠性を呈してキャビネットに上下反転させて取り付けできる収納トレイを提供する。【解決手段】深い収納面Ｐ１と浅い収納面Ｐ２が裏表に形成され、左右側面には、キャビネット側の溝に差し込み固定するための左右の突起６，６が形成されてなる収納トレイ１であって、左右の突起６，６は、収納トレイの前板２の高さ方向中央部に形成されて、上下反転させて取り付ける際に、キャビネット側と前板２間に隙間等が生ずることのないように設定されている。【選択図】図３
2013085912.tif 000002
【特許請求の範囲】
【請求項１】
深い収納面と浅い収納面が裏表に形成され、左右側面には、キャビネット側の溝に差し込み固定するための左右の突起が形成されてなる収納トレイであって、
前記左右の突起は、前記収納トレイの高さ方向中央部に形成されていることを特徴とする収納トレイ。
【請求項２】
前記浅い収納面には、前後および／または左右方向に仕切りとなるリブが形成されていることを特徴とする請求項１に記載の収納トレイ。
【請求項３】
前記浅い収納面には、前端側および後端側が立ち上がり該前端側と後端側を凹曲面で繋いだ形状のリブが前後方向に形成されていることを特徴とする請求項１または請求項２に記載の収納トレイ。
【発明の詳細な説明】
【技術分野】
【０００１】
本発明は、深い収納面と浅い収納面が裏表に形成された収納トレイに関するものである。
【背景技術】
【０００２】
従来、特許文献１に開示されているように、深い収納面と浅い収納面が裏表に形成されて、ミラーキャビネットの溝内に嵌合される左右のレール部を備え、上下反転させて使用できる収納トレイが存在する。
【先行技術文献】
【特許文献】
【０００３】
【特許文献１】特許第３６７５４００号公報
【発明の概要】
【発明が解決しようとする課題】
【０００４】
上記特許文献１に開示されている収納トレイでは、収納トレイの上端縁から左右のレール部が左右に突設されたものであるため、収納トレイを上下反転させてミラーキャビネットの溝に取り付けると、レイアウトが変わってしまい、ミラーキャビネット底面と収納トレイの下部との間に隙間が生じてしまう等の問題点があった。
また、図１３の斜視図で、図１４の縦断面図で示すような、上端側の左右に突起６，６を有する従来の収納トレイ１においても、図１５のように、ミラーキャビネット１２に形成されている溝１６，１６内に突起６，６を差し込んで、ミラーキャビネット１２に取り付けることができるが、図１６に示すように、上下反転させて逆向きにして下端側の収納トレイ１を、溝１６，１６内に突起６，６を差し込んで取り付けると、図１６のように、ミラーキャビネット１２の底面１５ａと収納トレイ１の前板２の下端との間に隙間Ｓが形成されてしまい、意匠的および衛生的に問題が生ずるものであった。
また、従来の収納トレイ１では、内部に仕切りがないため、小物が乱雑に収納されてしまうという問題点があり、特に、化粧筆，口紅等の高さの低い収納物を取り出す際には、前板２に引っ掛かって取り出しにくいという問題点があった。
【課題を解決するための手段】
【０００５】
本発明は、キャビネットに隙間が生ずることなく上下を反転させて取り付けることができ、また、使い勝手が良好となる収納トレイの提供を目的とし、この目的の少なくとも一部を達成するために以下の手段を採った。
本発明は、深い収納面と浅い収納面が裏表に形成され、左右側面には、キャビネット側の溝に差し込み固定するための左右の突起が形成されてなる収納トレイであって、前記左右の突起は、前記収納トレイの高さ方向中央部に形成されていることを要旨とする。
【発明の効果】
【０００６】
本発明の収納トレイの左右の突起は、収納トレイの高さ方向中央部に形成されているため、収納トレイを上下反転させてキャビネットの溝に差し込み取り付けた場合でも、収納トレイの上下方向の位置は変わらないために、キャビネットの底面と収納トレイの下部に隙間が生じることはなく、意匠的および衛生的に良好な取り付け状態が得られるものとなり、収納トレイを上下反転させて取り付け、ユーザーの使い勝手に応じて深い収納面あるいは浅い収納面の何れかを使い分けることができるものとなる。
【０００７】
また、本発明の収納トレイにおいて、前記浅い収納面には、前後および／または左右方向に仕切りとなるリブが形成されているものとすることもできる。
こうすれば、リブが小物を収納する際の仕切りとなり、異なる収納小物を前後あるいは左右方向で整理できるため、ユーザーの使い勝手が向上するものとなる。
【０００８】
また、本発明の収納トレイにおいて、前記浅い収納面には、前端側および後端側が立ち上がり該前端側と後端側を凹曲面で繋いだ形状のリブが前後方向に形成されているものとすることもできる。
こうすれば、化粧用の筆あるいは口紅等を収納トレイから手前に取り出す際に、収納トレイの前板に引っ掛かることなく、リブの凹曲面に沿ってスムーズに取り出すことができ、ユーザーの使い勝手が向上するものとなる。
【図面の簡単な説明】
【０００９】
【図１】収納トレイの斜視構成図である。
【図２】収納トレイの側面構成図である。
【図３】収納トレイの縦断面構成図である。
【図４】仕切りリブを設けた収納トレイの斜視構成図である。
【図５】図４の収納トレイの平面構成図である。
【図６】前後方向の仕切りリブを有する収納トレイの斜視構成図である。
【図７】仕切りリブと凹曲面リブを有する収納トレイの斜視構成図である。
【図８】凹曲面リブを有する収納トレイの斜視構成図である。
【図９】洗面化粧台の斜視構成図である。
【図１０】収納空間内に溝が形成されたミラーキャビネットの正面拡大構成図である。
【図１１】図１０のミラーキャビネットの溝に収納トレイの突起を差し込んで収納トレイを取り付けた状態のミラーキャビネットの正面拡大構成図である。
【図１２】収納トレイを上下反転させて取り付けた状態のミラーキャビネットの正面拡大構成図である。
【図１３】従来の収納トレイの斜視構成図である。
【図１４】従来の収納トレイの縦断面構成図である。
【図１５】ミラーキャビネットの溝に従来の収納トレイの突起を差し込んで従来の収納トレイを取り付けた状態のミラーキャビネットの正面拡大構成図である。
【図１６】従来の収納トレイを上下反転させて取り付けた状態のミラーキャビネットの正面拡大構成図である。
【発明を実施するための形態】
【００１０】
次に、本発明を実施するための形態を実施例を用いて説明する。
図１は、収納トレイの斜視構成図であり、図２は、収納トレイの側面構成図であり、図３は、収納トレイの縦断面構成図である。
この収納トレイ１は、前板２の裏側の左右端側から後方側に向かって左右の側板３，３が延び、左右の側板３，３の後端が前板２と平行な背板４で連結されて構成されており、左右の側板３，３の外側には、前板２の高さ方向中央部の位置に、外側へ突出して左右の突起６，６が形成されている。この各突起６は、前端側および後端側に傾斜した弾性片部６ａ，６ｂを有している。
【００１１】
この収納トレイ１は、図３に縦断面を示すように、底板５の上方側に、前板２の高さの高い深い収納面Ｐ１が形成されており、底板５の下方側には、前板２の高さの低い浅い収納面Ｐ２が形成されている。
【００１２】
図４は、収納トレイ１の変更例を示すものであり、収納トレイ１を上下反転させて浅い収納面Ｐ２側を上から見た斜視構成図であり、この図４の収納トレイ１の平面図は図５に示す。
収納トレイ１の浅い収納面Ｐ２には、左右方向に仕切りリブ７が設けられており、この仕切りリブ７の上端は、前板２の上端の高さと同等の高さに設定されており、この仕切りリブ７により、浅い収納面Ｐ２が前側と後側の収納部に区画されている。
【００１３】
次に、図６において斜視図で示す収納トレイ１は、浅い収納面Ｐ２の中央部に、前板２から背板４に至る仕切りリブ７ａを前後方向に形成させたものである。この仕切りリブ７ａにより浅い収納面Ｐ２は左側と右側の収納部に区画されている。
【００１４】
さらに図７で示す収納トレイ１は、浅い収納面Ｐ２に、左右方向に仕切りリブ７を立設し、仕切りリブ７の前側の収納部に、前板２から仕切りリブ７に至る前後方向の凹曲線リブ８，８，８を左右方向に所定間隔で形成し、更に仕切りリブ７の後側の収納部においても、仕切りリブ７から背板４に至る前後方向の凹曲線リブ８，８，８を左右方向に所定間隔で形成させたものである。
【００１５】
この各凹曲線リブ８は、前端側および後端側が立ち上がり、前端側と後端側を凹曲線で繋いで形成したものであり、各凹曲線リブ８の上面は凹曲線状に湾曲しており、この上に、例えば化粧用の筆や口紅等を置くことができ、化粧筆等を取り出す際には、この凹曲線リブ８の凹曲線に沿って手前側へ取り出すことができるものであり、化粧筆等をスムーズに前板２に引っ掛かることなく取り出すことができ、使用勝手が良好なものとなる。
【００１６】
なお、図８に示す収納トレイ１では、浅い収納面Ｐ２に、前板２から背板４に亘り前後方向に延びる凹曲線リブ８を左右方向に間隔をおいて複数形成したものである。
このような複数の凹曲線リブ８上には、前述したように化粧筆等を置いて、前板２に引っ掛かることなくスムーズに取り出すことができるものである。
【００１７】
このように図１〜図８に示すような形態の収納トレイ１においては、深い収納面Ｐ１を上にして用いる場合には、深い収納面Ｐ１内に高さの高い小物を良好に収納しておくことができ、また、反転させて浅い収納面Ｐ２を上側にして用いる場合には、浅い収納面Ｐ２内に高さの低い化粧小物等を収納させることができ、収納物の高さに応じて深い収納面Ｐ１と浅い収納面Ｐ２を使い分けることができ、ユーザーの使い勝手が向上するものとなる。
【００１８】
なお、図９は、洗面化粧台の斜視構成図であり、洗面化粧台１０は、洗面器１１の上部にミラーキャビネット１２が立設されており、このミラーキャビネット１２は、上端に照明器１３が設けられ、下方側前面に３枚の鏡扉１４が配置されたものであり、各鏡扉１４の裏側は、図１０に拡大して示すように収納空間１５となっており、この収納空間１５には、左右一対の溝１６，１６が上下方向に複数段形成されている。
このミラーキャビネット１２の溝１６，１６内に、前方側から左右の突起６，６を差し込んで、突起６，６を介し収納トレイ１を溝１６，１６に固定させて、図１１に示すように、収納空間１５内に収納トレイ１を取り付けることができる。
【００１９】
図１１では、各収納トレイ１の深い収納面Ｐ１を上側にして、浅い収納面Ｐ２を下向きにして収納トレイ１を取り付けた状態を示している。
この図１１の状態から、収納トレイ１を溝１６，１６から一旦抜き出し、上下反転させて再び突起６，６を溝１６，１６内に差し込んで、図１２のように、上下反転させた状態で収納トレイ１をミラーキャビネット１２の収納空間１５内に取り付けることができ、図１２の状態では、浅い収納面Ｐ２が上向きとなり、深い収納面Ｐ１が下向きとなる。
【００２０】
この図１２のように、収納トレイ１の上下を反転させて取り付ける場合でも、各収納トレイ１の突起６，６は、前板２の高さ方向中央部に形成されているものであるため、反転させても上下方向の位置は変わらず、そのため図１１の取り付け状態でも、また図１２の取り付け状態でも、収納空間１５の底面１５ａと収納トレイ１の前板２の下縁との間に隙間が生ずることはなく、反転させて収納トレイ１を取り付けてもレイアウトは変わらず、意匠的，衛生的に良好な取り付け状態が得られるものである。
【００２１】
このようにユーザーの使い勝手に応じて収納トレイ１の上下を反転させて、レイアウトを変更することなくミラーキャビネット１２の収納空間１５に収納トレイ１を取り付けて、収納物の高さに応じて使用状態を使い分けることができるものとなり、従来の図１６で示したような隙間Ｓが生ずることがないものである。
【００２２】
なお、本例の収納トレイ１において、突起６には前後に傾斜状の弾性片部６ａ，６ｂが形成されているため、突起６をミラーキャビネットの溝１６内に前方側から差し込んで固定する際に、この弾性片部６ａの前端が溝１６の底面に弾着し、弾性片部６ｂの後端は溝１６の上面に弾着して、溝１６の上下面を弾性片部６ａ，６ｂで押圧して、強固にがたつくことなく溝１６，１６に収納トレイ１を固定することができるものである。
【００２３】
なお、本例では、深い収納面Ｐ１と浅い収納面Ｐ２を有する収納トレイ１において凹曲線リブ８，８，８を設けたものを例示しているが、凹曲線リブ８は、図１３，図１４に示すような従来の収納トレイ１においても複数形成させておくと、化粧筆や口紅等を収納した際に、この凹曲線リブ８の上面の凹曲線に沿って、化粧筆等を前方側へスムーズに前板２に引っ掛かることなく取り出すことができるものとなる。
【符号の説明】
【００２４】
１  収納トレイ
２  前板
３  側板
４  背板
５  底板
６  突起
６ａ，６ｂ  弾性片部
７，７ａ  仕切りリブ
８  凹曲線リブ
１０  洗面化粧台
１２  ミラーキャビネット
１４  鏡扉
１５  収納空間
１５ａ  底面
１６  溝
Ｐ１  深い収納面
Ｐ２  浅い収納面
【図１】
2013085912.tif 000003
【図２】
2013085912.tif 000004
【図３】
2013085912.tif 000005
【図４】
2013085912.tif 000006
【図５】
2013085912.tif 000007
【図６】
2013085912.tif 000008
【図７】
2013085912.tif 000009
【図８】
2013085912.tif 000010
【図９】
2013085912.tif 000011
【図１０】
2013085912.tif 000012
【図１１】
2013085912.tif 000013
【図１２】
2013085912.tif 000014
【図１３】
2013085912.tif 000015
【図１４】
2013085912.tif 000016
【図１５】
2013085912.tif 000017
【図１６】
2013085912.tif 000018